(57)【要約】【課題】撮像装置をしっかりと把持することができ、且つ撮影準備動作が開始された後であっても外部アクセサリ装置の撮影条件に係る設定変更を誤操作なく行い得るようにした撮像装置を提供することである。【解決手段】カメラ１０は、撮影動作に係る各種設定が可能なストロボ装置２０を連動自在に装着可能であり、選択可能な複数の動作モードを備えている。そして、上記複数の動作モードより選択された動作モードに応じて、撮影準備動作開始後に上記ストロボ装置２０に対する設定変更を、実質的に禁止するタイミングが相互に異なるように制御している。【選択図】      図１
2005141078.tif 000002
【特許請求の範囲】
【請求項１】
撮影動作に係る各種設定が可能な外部装置を連動自在に装着可能であり、選択可能な複数の動作モードを備えた撮像装置であって、
上記複数の動作モードより選択された動作モードに応じて、撮影準備動作開始後に上記外部装置に対する設定変更を実質的に禁止するタイミングが相互に異なるようにしたことを特徴とする撮像装置。
【請求項２】
上記外部装置はストロボ装置であることを特徴とする請求項１に記載の撮像装置。
【請求項３】
上記外部装置は交換レンズ装置であることを特徴とする請求項１に記載の撮像装置。
【請求項４】
撮影動作を指示するレリーズ部材を更に具備し、
上記外部装置に対する設定変更を実質的に禁止するタイミングは、上記レリーズ部材の第１ストローク操作タイミングであることを特徴とする請求項１に記載の撮像装置。
【請求項５】
撮影動作を指示するレリーズ部材を更に具備し、
上記外部装置に対する設定変更を実質的に禁止するタイミングは、上記レリーズ部材の第２ストローク操作タイミングであることを特徴とする請求項１に記載の撮像装置。
【請求項６】
撮影操作を行うための所定の操作部材を更に具備し、
上記外部装置に対する設定変更を実質的に禁止するタイミングは、上記所定の操作部材の操作タイミングであることを特徴とする請求項１に記載の撮像装置。
【請求項７】
撮影動作に係る各種設定が可能な外部装置を通信可能に装着し、選択可能な複数の動作モードを備えた撮像装置に於いて、
撮影準備動作開始後に上記外部装置と所定時間間隔で通信を行うと共に、上記複数の動作モードより選択された動作モードに応じて、上記通信を打切るタイミングが相互に異なるようにしたことを特徴とする撮像装置。
【請求項８】
上記外部装置はストロボ装置であることを特徴とする請求項７に記載の撮像装置。
【請求項９】
上記外部装置は交換レンズ装置であることを特徴とする請求項７に記載の撮像装置。
【請求項１０】
撮影動作を指示するレリーズ部材を更に具備し、
上記外部装置との通信を打切るタイミングは、上記レリーズ部材の第１ストローク操作タイミングであることを特徴とする請求項７に記載の撮像装置。
【請求項１１】
撮影動作を指示するレリーズ部材を更に具備し、
上記外部装置との通信を打切るタイミングは、上記レリーズ部材の第２ストローク操作タイミングであることを特徴とする請求項７に記載の撮像装置。
【請求項１２】
撮影操作を行うための所定の操作部材を更に具備し、
上記外部装置との通信を打切るタイミングは、上記所定の操作部材の操作タイミングであることを特徴とする請求項７に記載の撮像装置。
【請求項１３】
装着可能な外付けアクセサリ装置と通信する通信手段と、
撮影動作を指示するもので２段操作可能なレリーズ部材と、
このレリーズ部材とは別体に設けられて露出値を固定するための固定露出部材と、
上記レリーズ部材の第１ストローク操作で露出値固定、上記レリーズ部材の第２ストローク操作で露出値固定若しくは上記固定露出部材の操作で露出値固定とする複数の露出値固定モードから何れか１つを選択する露出値固定モード選択手段と、
を具備し、
上記露出値固定モード選択手段によって選択された露出値固定の態様に応じてそれぞれ定義される所定タイミング以降は上記通信手段による通信を禁止するようにしたことを特徴とする撮像装置。
【請求項１４】
撮影動作を行うもので、選択可能な複数の動作モードを有した撮像装置と、
上記撮影動作に係る各種設定が可能で上記撮像装置に連動自在に装着可能な外部装置とを備えた撮像システムであって、
上記複数の動作モードより選択された動作モードに応じて、撮影準備動作開始後に上記撮像装置から上記外部装置に対する設定変更を実質的に禁止するタイミングが相互に異なるようにしたことを特徴とする撮像システム。
【請求項１５】
上記外部装置はストロボ装置であることを特徴とする請求項１４に記載の撮像システム。
【請求項１６】
上記外部装置は交換レンズ装置であることを特徴とする請求項１４に記載の撮像システム。
【請求項１７】
撮影動作を指示するレリーズ部材を更に具備し、
上記外部装置に対する設定変更を実質的に禁止するタイミングは、上記レリーズ部材の第１ストローク操作タイミングであることを特徴とする請求項１４に記載の撮像システム。
【請求項１８】
撮影動作を指示するレリーズ部材を更に具備し、
上記外部装置に対する設定変更を実質的に禁止するタイミングは、上記レリーズ部材の第２ストローク操作タイミングであることを特徴とする請求項１４に記載の撮像システム。
【請求項１９】
撮影操作を行うための所定の操作部材を更に具備し、
上記外部装置に対する設定変更を実質的に禁止するタイミングは、上記所定の操作部材の操作タイミングであることを特徴とする請求項１４に記載の撮像システム。
【請求項２０】
露出値を固定するための固定露出部材を更に具備し、
上記外部装置に対する設定変更を実質的に禁止するタイミングは、上記固定露出部材によって露出値が固定された固定露出モードに応じて定義されるタイミングであることを特徴とする請求項１４に記載の撮像システム。
【請求項２１】
撮影動作に係る各種設定が可能な外部装置を通信可能に装着し、選択可能な複数の動作モードを有した撮像装置とを備えた撮像システムに於いて、
撮影準備動作開始後に上記撮像装置と上記外部装置との間で所定時間間隔で通信を行うと共に、上記複数の動作モードより選択された動作モードに応じて、上記通信を停止させるタイミングが相互に異なるようにしたことを特徴とする撮像システム。
【請求項２２】
上記外部装置はストロボ装置であることを特徴とする請求項２１に記載の撮像システム。
【請求項２３】
上記外部装置は交換レンズ装置であることを特徴とする請求項２１に記載の撮像システム。
【請求項２４】
撮影動作を指示するレリーズ部材を更に具備し、
上記外部装置との通信を停止させるタイミングは、上記レリーズ部材の第１ストローク操作タイミングであることを特徴とする請求項２１に記載の撮像システム。
【請求項２５】
撮影動作を指示するレリーズ部材を更に具備し、
上記外部装置との通信を停止させるタイミングは、上記レリーズ部材の第２ストローク操作タイミングであることを特徴とする請求項２１に記載の撮像システム。
【請求項２６】
撮影操作を行うための所定の操作部材を更に具備し、
上記外部装置との通信を停止させるタイミングは、上記所定の操作部材の操作タイミングであることを特徴とする請求項２１に記載の撮像システム。
【発明の詳細な説明】
【技術分野】
【０００１】
本発明は外付けアクセサリ装置を併用した連動撮影が可能な撮像装置及び撮像システムに関し、より詳細には、外付けアクセサリ装置を併用した際に、外付けアクセサリ装置に対する設定変更の受付けを禁止するタイミングを適宜選択し得る撮像装置及び撮像システムに関するものである。
【背景技術】
【０００２】
［従来の技術］
外付けストロボ装置を併用した撮像装置に於いて、撮影準備動作開始後に外付けストロボ装置の動作モードを変更すると、適正露光が得られなくなる場合がある。つまり、レリーズ部材の第１ストローク（第１レリーズ）操作からレリーズ部材の第２ストローク（第２レリーズ）操作までの間に、外付けストロボ装置をオートモードからマニュアルモードに変更したり、または発光部をズーミング操作すると、外付けストロボ装置の適正発光が保証されず、不適正露光の撮影となることがある。
【０００３】
この点に関して、従来よりＡＥロックと称する技術が知られている。この技術は、第１レリーズ操作または所定のＡＥロック部材の操作に応答して、ＡＥ設定条件を画定（ロック）すると共に、それ以降の設定変更を無効化して当初設定条件を維持したままで露光動作を実行するものである。
【０００４】
次に、レンズ交換式撮像装置の場合、使用可能な交換レンズ群の中には、ズームレンズのように露光制御に関係する光学パラメータの設定変更を行い得るものが含まれる。
【０００５】
こうした交換レンズを使用したとき、第１レリーズ操作から第２レリーズ操作までの間に交換レンズ側での設定変更がなされると、場合により構図、ピントや、露光の点で不適正な撮影となる可能性がある。
【特許文献１】特開平１０−１８６４９１号公報
【発明の開示】
【発明が解決しようとする課題】
【０００６】
しかし、一瞬の撮影チャンスに的確に対処するためには、撮影準備動作開始後であっても外部アクセサリ装置の設定変更に柔軟に対応できることが望まれる。
【０００７】
一方、特開平７−２６１２５０号公報にはカメラと外部装置との通信を行うシステムに於いて、カメラのレリーズスイッチ操作を検出したとき、外部装置との通信を禁止するものが開示されている。
【０００８】
また、上述したＡＥロック技術の方式は、直感的である反面、一瞬のシャッタチャンスに的確に応答するためには、ＡＥロックタイミングを変更できる余地があることが好ましい。
【０００９】
例えば、図１２に示されるように、外付けストロボ装置を併用した撮影に於いては、一方の手３ａで撮像装置２のグリップ部２ａを握ったまま、他方の手３ｂでストロボ１の設定変更を行おうとする際に、無意識のうちにレリーズ釦２ｂを押して第１レリーズ操作となる可能性がある。撮像装置２が第１レリーズ操作でＡＥロックする仕様であると仮定すると、この場合、ストロボ１の設定変更が受付けられず、都合が悪いことになる。
【００１０】
また、図１３に示されるように、第１レリーズ操作をしないように撮像装置２のグリップ部２ａを握ると、極めて不自然な握り方になり、撮像装置２を落としてしまうおそれがある。
【００１１】
本発明は上記実情に鑑みてなされたものであり、撮像装置をしっかりと把持し、且つ撮影準備動作が開始された後であっても外部アクセサリ装置の撮影条件に係る設定変更を誤操作なく行い得るようにした撮像装置及び撮像システムを提供することを目的とする。
【課題を解決するための手段】
【００１２】
すなわち、請求項１に記載の発明は、撮影動作に係る各種設定が可能な外部装置を連動自在に装着可能であり、選択可能な複数の動作モードを備えた撮像装置であって、上記複数の動作モードより選択された動作モードに応じて、撮影準備動作開始後に上記外部装置に対する設定変更を実質的に禁止するタイミングが相互に異なるようにしたことを特徴とする。
【００１３】
請求項２に記載の発明は、請求項１に記載の発明に於いて、上記外部装置はストロボ装置であることを特徴とする。
【００１４】
請求項３に記載の発明は、請求項１に記載の発明に於いて、上記外部装置は交換レンズ装置であることを特徴とする。
【００１５】
請求項４に記載の発明は、請求項１に記載の発明に於いて、撮影動作を指示するレリーズ部材を更に具備し、上記外部装置に対する設定変更を実質的に禁止するタイミングは、上記レリーズ部材の第１ストローク操作タイミングであることを特徴とする。
【００１６】
請求項５に記載の発明は、請求項１に記載の発明に於いて、撮影動作を指示するレリーズ部材を更に具備し、上記外部装置に対する設定変更を実質的に禁止するタイミングは、上記レリーズ部材の第２ストローク操作タイミングであることを特徴とする。
【００１７】
請求項６に記載の発明は、請求項１に記載の発明に於いて、撮影操作を行うための所定の操作部材を更に具備し、上記外部装置に対する設定変更を実質的に禁止するタイミングは、上記所定の操作部材の操作タイミングであることを特徴とする。
【００１８】
請求項７に記載の発明は、撮影動作に係る各種設定が可能な外部装置を通信可能に装着し、選択可能な複数の動作モードを備えた撮像装置に於いて、撮影準備動作開始後に上記外部装置と所定時間間隔で通信を行うと共に、上記複数の動作モードより選択された動作モードに応じて、上記通信を打切るタイミングが相互に異なるようにしたことを特徴とする。
【００１９】
請求項８に記載の発明は、請求項７に記載の発明に於いて、上記外部装置はストロボ装置であることを特徴とする。
【００２０】
請求項９に記載の発明は、請求項７に記載の発明に於いて、上記外部装置は交換レンズ装置であることを特徴とする。
【００２１】
請求項１０に記載の発明は、請求項７に記載の発明に於いて、撮影動作を指示するレリーズ部材を更に具備し、上記外部装置との通信を打切るタイミングは、上記レリーズ部材の第１ストローク操作タイミングであることを特徴とする。
【００２２】
請求項１１に記載の発明は、請求項７に記載の発明に於いて、撮影動作を指示するレリーズ部材を更に具備し、上記外部装置との通信を打切るタイミングは、上記レリーズ部材の第２ストローク操作タイミングであることを特徴とする。
【００２３】
請求項１２に記載の発明は、請求項７に記載の発明に於いて、撮影操作を行うための所定の操作部材を更に具備し、上記外部装置との通信を打切るタイミングは、上記所定の操作部材の操作タイミングであることを特徴とする。
【００２４】
請求項１３に記載の発明は、装着可能な外付けアクセサリ装置と通信する通信手段と、撮影動作を指示するもので２段操作可能なレリーズ部材と、このレリーズ部材とは別体に設けられて露出値を固定するための固定露出部材と、上記レリーズ部材の第１ストローク操作で露出値固定、上記レリーズ部材の第２ストローク操作で露出値固定若しくは上記固定露出部材の操作で露出値固定とする複数の露出値固定モードから何れか１つを選択する露出値固定モード選択手段と、を具備し、上記露出値固定モード選択手段によって選択された露出値固定の態様に応じてそれぞれ定義される所定タイミング以降は上記通信手段による通信を禁止するようにしたことを特徴とする。
【００２５】
請求項１４に記載の発明は、撮影動作を行うもので、選択可能な複数の動作モードを有した撮像装置と、上記撮影動作に係る各種設定が可能で上記撮像装置に連動自在に装着可能な外部装置とを備えた撮像システムであって、上記複数の動作モードより選択された動作モードに応じて、撮影準備動作開始後に上記撮像装置から上記外部装置に対する設定変更を実質的に禁止するタイミングが相互に異なるようにしたことを特徴とする。
【００２６】
請求項１５に記載の発明は、請求項１４に記載の発明に於いて、上記外部装置はストロボ装置であることを特徴とする。
【００２７】
請求項１６に記載の発明は、請求項１４に記載の発明に於いて、上記外部装置は交換レンズ装置であることを特徴とする。
【００２８】
請求項１７に記載の発明は、請求項１４に記載の発明に於いて、撮影動作を指示するレリーズ部材を更に具備し、上記外部装置に対する設定変更を実質的に禁止するタイミングは、上記レリーズ部材の第１ストローク操作タイミングであることを特徴とする。
【００２９】
請求項１８に記載の発明は、請求項１４に記載の発明に於いて、撮影動作を指示するレリーズ部材を更に具備し、上記外部装置に対する設定変更を実質的に禁止するタイミングは、上記レリーズ部材の第２ストローク操作タイミングであることを特徴とする。
【００３０】
請求項１９に記載の発明は、請求項１４に記載の発明に於いて、撮影操作を行うための所定の操作部材を更に具備し、上記外部装置に対する設定変更を実質的に禁止するタイミングは、上記所定の操作部材の操作タイミングであることを特徴とする。
【００３１】
請求項２０に記載の発明は、請求項１４に記載の発明に於いて、露出値を固定するための固定露出部材を更に具備し、上記外部装置に対する設定変更を実質的に禁止するタイミングは、上記固定露出部材によって露出値が固定された固定露出モードに応じて定義されるタイミングであることを特徴とする。
【００３２】
請求項２１に記載の発明は、撮影動作に係る各種設定が可能な外部装置を通信可能に装着し、選択可能な複数の動作モードを有した撮像装置とを備えた撮像システムに於いて、撮影準備動作開始後に上記撮像装置と上記外部装置との間で所定時間間隔で通信を行うと共に、上記複数の動作モードより選択された動作モードに応じて、上記通信を停止させるタイミングが相互に異なるようにしたことを特徴とする。
【００３３】
請求項２２に記載の発明は、請求項２１に記載の発明に於いて、上記外部装置はストロボ装置であることを特徴とする。
【００３４】
請求項２３に記載の発明は、請求項２１に記載の発明に於いて、上記外部装置は交換レンズ装置であることを特徴とする。
【００３５】
請求項２４に記載の発明は、請求項２１に記載の発明に於いて、撮影動作を指示するレリーズ部材を更に具備し、上記外部装置との通信を停止させるタイミングは、上記レリーズ部材の第１ストローク操作タイミングであることを特徴とする。
【００３６】
請求項２５に記載の発明は、請求項２１に記載の発明に於いて、撮影動作を指示するレリーズ部材を更に具備し、上記外部装置との通信を停止させるタイミングは、上記レリーズ部材の第２ストローク操作タイミングであることを特徴とする。
【００３７】
請求項２６に記載の発明は、請求項２１に記載の発明に於いて、撮影操作を行うための所定の操作部材を更に具備し、上記外部装置との通信を停止させるタイミングは、上記所定の操作部材の操作タイミングであることを特徴とする。
【発明の効果】
【００３８】
本発明によれば、撮像装置をしっかりと把持することができ、且つ撮影準備動作が開始された後であっても外部アクセサリ装置の撮影条件に係る設定変更を誤操作なく行い得るようにした撮像装置及び撮像システムを提供することができる。
【発明を実施するための最良の形態】
【００３９】
以下、図面を参照して本発明の実施形態について説明する。
【００４０】
（第１の実施形態）
図１は、本発明の第１の実施形態を示すもので、撮像装置としてのカメラ及び外部装置としてのストロボ装置の基本的構成を示すブロック図である。
【００４１】
図１に於いて、このカメラ１０は、カメラ全体の制御を司る制御部１１と、図示されない被写体の像を撮影する撮影部１２と、カメラ１０の状態を記憶する記憶部１３と、ユーザがカメラに指示を与えるための操作部材としての操作部１４と、カメラ１０の各状態や被写体の像等を表示する表示部１５と、ストロボ装置２０へ発光指示を与える発光指示部１６と、ストロボ装置２０との通信を行う通信手段としての通信部１７とから構成されている。尚、上記操作部１４は、レリーズ釦（レリーズ部材）を構成するもので、第１レリーズ操作及び第２レリーズ操作に対応した第１レリーズスイッチ１０ａ及び第２レリーズスイッチ１０ｂを有している。
【００４２】
また、外付けアクセサリ装置であるストロボ装置２０は、ストロボ全体の制御を司る制御部２１と、ユーザがストロボ装置２０に指示を与えるための操作部２２と、発光のための電荷を充電する充電部２３と、充電した電荷を使用して発光を行う発光部２４と、上述したカメラ１０との通信を行う通信部２５とを有して構成される。
【００４３】
このような構成に於いて、第１レリーズスイッチ１４ａまたは第２レリーズスイッチ１４ｂの操作により、操作部１４を介して、ユーザからカメラ１０に対して指示が与えられる。すると、制御部１１によって、カメラ１０の各種動作が制御される。つまり、撮影部１２が制御されて被写体の像が形成されて記録され、カメラの各状態や被写体の像等が表示部１５に表示される。また、カメラの状態は記憶部１３に記憶される。
【００４４】
撮影時にストロボ光が必要である場合は、発光指示部１６へ発光指示が与えられると共に、通信部１７からストロボ装置２０内の通信部２５に対して通信が行われる。
【００４５】
ユーザがストロボ装置２０に対して指示を与えると、この指示に従って制御部２１によりストロボ装置２０全体の制御が行われる。充電部２３では、発光のための電荷が充電されて蓄積され、ここで蓄積された電荷が発光部２４で使用されることによって発光が行われる。
【００４６】
図２は、上述したカメラ１０とストロボ装置２０間の通信の様子を示したタイミングチャートであり、カメラ１０とストロボ装置２０との間の通信（ＴＸ、ＲＸ）と、ストロボ装置２０を発光させるための信号（ＳＴＢＸ）がある。
【００４７】
同図に於いて、Ｓ１はカメラ１０からストロボ装置２０へ送るデータであり、Ｓ２はストロボ装置２０からカメラ１０へ送るデータである。また、Ｆは発光信号であり、ストロボ装置２０はこの時に発光する。
【００４８】
図３は、カメラ１０とストロボ装置２０との間の通信内容を示した図である。
【００４９】
カメラ１０からストロボ装置２０へ送るデータ（ＴＸ）は、フフィルムや撮像素子のＩＳＯ感度、レンズの絞り値、レンズの焦点距離から成っている。一方、ストロボ装置２０からカメラ１０へ送るデータ（ＲＸ）は、ストロボ装置２０のモード、発光可否、充電状態から成っている。
【００５０】
ここで、カメラのＡＥロックモードについて説明する。
【００５１】
ユーザによりカメラが操作されて、「ＡＥロックモード」が「ファースト（１ｓｔ）レリーズでロック」に設定されると、レリーズ釦の第１ストローク、すなわち第１レリーズスイッチ１４ａのオンによりＡＥロックがなされる。また、「ＡＥロックモード」が「セカンド（２ｎｄ）レリーズでロック」に設定されると、レリーズ釦の第２ストローク、すなわち第２レリーズスイッチ１４ｂのオンによりＡＥロックがなされる。
【００５２】
次に、図４（ａ）及び（ｂ）のフローチャートを参照して、本実施の形態に於けるカメラ１０及びストロボ装置２０の通常の動作について説明する。尚、図４（ａ）はカメラ１０側の制御部１１により行われる動作を説明するフローチャートであり、図４（ｂ）はストロボ装置２０側の制御部２１にて行われる動作を説明するフローチャートである。
【００５３】
ステップＳ１にてカメラ１０がパワーオンされると、続くステップＳ２にて初期化が行われた後、ステップＳ３にて通信準備が行われる。一方、ストロボ装置２０では、ステップＳ２１にてパワーオンされると、ステップＳ２２にて初期化が行われた後、ステップＳ２３にて通信準備が行われる。
【００５４】
通信準備が行われた後、カメラ１０側では、ステップＳ４にて送信データが生成される。一方、ストロボ装置２０側では、ステップＳ２４にて受信データ待ちの状態に入る。そして、カメラ１０側では、ステップＳ５にてデータ送信が行われ、続くステップＳ６にてストロボ装置２０からの受信データ待ちの状態に入る。
【００５５】
一方、ストロボ装置２０側では、ステップＳ２５にて、カメラ１０からのデータが受信される。そして、ステップＳ２６にて受信されたデータが解析され、続くステップＳ２７にて受信データに見合った送信データが生成される。更に、ステップＳ２８にて、生成された送信データがカメラ１０側に向けて送信される。
【００５６】
カメラ１０側では、ステップＳ７にて、ストロボ装置２０から送信されたデータが受信される。これにより、続くステップＳ８にて受信されたデータが解析され、更にステップＳ９にてストロボ状態に応じた処理が行われる。
【００５７】
一方、ストロボ装置２０では、ステップＳ２８にて、先に受信されたカメラ状態に応じた処理が行われた後、ステップＳ３０にて再び受信データ待ちの状態に入る。
【００５８】
そして、ステップＳ１０にて、ユーザによってカメラ１０の操作がなされているか否かの判定が行われる。ここで、操作がなされていない場合は、上記ステップＳ４へ移行して、破線で示される枠Ａ内の処理動作が定期的に繰り返される。上記ステップＳ１０にて、カメラ１０の操作がなされた場合は、ステップＳ１１に移行して、ユーザによる操作に応じた処理が行われる。その後、上記ステップＳ４へ移行して、上記破線枠Ａ内の処理動作が定期的に繰り返される。
【００５９】
同様に、ステップＳ３１にて、ユーザによってストロボ装置２０の操作状態が判定される。ここで、やストロボ装置２０が操作されなければ、上記ステップＳ２４へ移行して、上記破線枠Ａ内の処理が定期的に繰り返される。一方、ユーザによるストロボ装置２０の操作がなされた場合は、ステップＳ３２へ移行して、ユーザによる操作に応じた処理が行われる。その後、上記ステップＳ２４へ移行して、上記破線枠Ａ内の処理が定期的に繰り返される。
【００６０】
図５はＡＥロックモード変更時の動作を説明するもので、（ａ）はカメラ１０側の制御部１１により行われる動作を説明するフローチャートであり、（ｂ）はストロボ装置２０側の制御部２１にて行われる動作を説明するフローチャートである。
【００６１】
尚、図中、Ａ、Ｂ及びＣで示される破線枠内の各処理動作は、上述した図４（ａ）及び（ｂ）のフローチャートに於ける処理動作と同じである。すなわち、ステップＳ４３〜Ｓ５０及びステップＳ６４〜Ｓ７０はステップＳ４〜Ｓ１１及びステップＳ２４〜Ｓ３０に対応し、ステップＳ４９及びＳ５０はステップＳ１０及びＳ１１に対応し、更にステップＳ７１及び７２はステップＳ３１及びＳ３２に対応する。そして、それぞれの処理動作は図４（ａ）及び（ｂ）のフローチャートの対応するステップを参照して、ここでの説明は省略するものとする。
【００６２】
図５のフローチャートが開始されると、先ずカメラ１０側では、ステップＳ４１にて、ユーザによりカメラが操作されてＡＥロックモードが変更される。すると、ステップＳ４２にてＡＥロックモード変更に応じた処理が行われ、記憶部１３に変更されたＡＥロックモードが記憶される。その後、破線枠Ａ内のステップＳ４３に移行して、上述した処理動作が行われる。
【００６３】
一方、ストロボ装置２０側では、ステップＳ６１にてパワーオンされると、ステップＳ６２にて初期化が行われた後、ステップＳ６３にて通信準備が行われる。その後、破線枠Ａ内のステップＳ６４に移行して、上述した処理動作が行われる。
【００６４】
図６は、ＡＥロックモードが「第１（１ｓｔ）レリーズでロック」の場合の撮影時の動作を説明するもので、（ａ）はカメラ１０側の制御部１１により行われる動作を説明するフローチャートであり、（ｂ）はストロボ装置２０側の制御部２１にて行われる動作を説明するフローチャートである。
【００６５】
尚、図中、Ａ、Ｂ及びＣで示される破線枠内の各処理動作は、上述した図４（ａ）及び（ｂ）のフローチャートに於ける処理動作と同じである。すなわち、ステップＳ８４〜Ｓ８９及びステップＳ１１４〜Ｓ１２０はステップＳ４〜Ｓ１１及びステップＳ２４〜Ｓ３０に対応し、ステップＳ１０８及びＳ１０９はステップＳ１０及びＳ１１に対応し、更にステップＳ１３１及び１３２はステップＳ３１及びＳ３２に対応する。そして、それぞれの処理動作は図４（ａ）及び（ｂ）のフローチャートの対応するステップを参照して、ここでの説明は省略するものとする。
【００６６】
ステップＳ８１にてカメラ１０がパワーオンされると、ステップＳ８２にて初期化が行われ、更にステップＳ８３にて通信準備が行われる。一方、ストロボ装置２０側では、ステップＳ１１１にてパワーオンされると、ステップＳ１１２にて初期化が行われた後、ステップＳ１１３にて通信準備が行われる。
【００６７】
その後、カメラ１０側では破線枠Ａ内のステップＳ８４に移行し、ストロボ装置２０側では破線枠Ａ内のステップＳ１１４へ移行して、それぞれ上述した処理動作が行われる。
【００６８】
カメラ１０側で、ステップＳ８９のストロボ状態に応じた処理がなされた後、ステップＳ９０にて、ユーザによってレリーズ釦（図示せず）が操作される。次いで、ステップＳ９１では、１ｓｔレリーズスイッチ１４ａがオンされる。これにより、続くステップＳ９２にて、カメラ１０では、「ストロボ操作受付禁止」の送信データが生成される。そして、ステップＳ９３にて、生成された送信データがストロボ装置２０に対して送信される。その後、ステップＳ９４にて、データ受信待ちの状態になる。
【００６９】
ステップＳ１２１にて、ストロボ装置２０でカメラ１０からのデータが受信されると、続くステップＳ１２２にて受信された旨を示すデータを生成するべく受信データの解析が行われる。次いで、ステップＳ１２３にて解析されたデータを基に送信データが生成される。そして、ステップＳ１２４にて、ストロボ装置２０の状態がカメラ１０に対して送信される。ストロボ装置２０は、上記ステップＳ９２で生成された「ストロボ操作受付禁止」のデータを受信しているので、例えば、ユーザがストロボ装置２０を操作してストロボモードを変更しようとすると、ストロボ装置２０はこれは受け付けない。その後、ステップＳ１２５にて、ストロボ装置２０はデータ受信待ちの状態になる。
【００７０】
一方、カメラ１０では、ステップＳ９５にてストロボ装置２０からのデータが受信された後、ステップＳ９６にて該受信データが解析される。次いで、ステップＳ９７にて測光や測距が行われて、ステップＳ９８にて撮影時のシャッタスピードや絞り値、ストロボ発光量が決定される。更に、ステップＳ９９では被写体にピントが合わせられる。
【００７１】
その後、ステップＳ１００にて、ユーザによりレリーズ釦（図示せず）が操作されて、ステップＳ１０１にて２ｎｄレリーズスイッチ１４ｂがオンされる。すると、上記ステップＳ９８で決定されたシャッタスピードや絞り値、ストロボ発光量が用いられて、ステップＳ１０２にて撮影が行われる。
【００７２】
ステップＳ１０３では、カメラ１０にて「ストロボ操作受付許可」の送信データが生成される。そして、続くステップＳ１０４にて、この生成された送信データが、ストロボ装置２０に向けて送信される。その後、ステップＳ１０５にて、データ受信待ちの状態になる。
【００７３】
ステップＳ１２６にて、ストロボ装置２０側で上記送信データが受信されると、続くステップＳ１２７にて受信されたデータが解析される。そして、ステップＳ１２８にて、上記解析されたデータから受信した旨を示すデータが生成される。ステップＳ１２９では、この生成されたデータがカメラ１０に向けて送信される。
【００７４】
ストロボ装置２０では、上記ステップＳ１０３で生成された「ストロボ操作受付許可」が受信されているので、例えば、ユーザがストロボ装置２０を操作してストロボモードを変更しようとすると、これを受け付けてストロボモードを変更することができるようになっている。
【００７５】
この後、ステップＳ１３０にてデータ受信待ちの状態に入ると、破線枠Ｃ内のステップＳ１３１に移行して、上述した処理動作が行われる。
【００７６】
一方、カメラ１０側では、ステップＳ１０６にて、ストロボ装置２０の状態が受信されると、続くステップＳ１０７にて受信データの解析が行われる。その後、破線枠Ｂ内のステップＳ１０８に移行して、上述した処理動作が行われる。
【００７７】
図７は、ＡＥロックモードが「第２（２ｎｄ）レリーズでロック」の場合の撮影時の動作を説明するもので、（ａ）はカメラ１０側の制御部１１により行われる動作を説明するフローチャートであり、（ｂ）はストロボ装置２０側の制御部２１にて行われる動作を説明するフローチャートである。
【００７８】
尚、図中、Ａ、Ｂ及びＣで示される破線枠内の各処理動作は、上述した図４（ａ）及び（ｂ）のフローチャートに於ける処理動作と同じである。すなわち、ステップＳ１４４〜Ｓ１４９及びステップＳ１７４〜Ｓ１８０はステップＳ４〜Ｓ１１及びステップＳ２４〜Ｓ３０に対応し、ステップＳ１６９及びＳ１７０はステップＳ１０及びＳ１１に対応し、更にステップＳ１９１及び１９２はステップＳ３１及びＳ３２に対応する。そして、それぞれの処理動作は図４（ａ）及び（ｂ）のフローチャートの対応するステップを参照して、ここでの説明は省略するものとする。
【００７９】
ステップＳ１４１にてカメラ１０がパワーオンされると、ステップＳ１４２にて初期化が行われ、更にステップＳ１４３にて通信準備が行われる。一方、ストロボ装置２０側では、ステップＳ１７１にてパワーオンされると、ステップＳ１７２にて初期化が行われた後、ステップＳ１７３にて通信準備が行われる。
【００８０】
その後、カメラ１０側では破線枠Ａ内のステップＳ１４４に移行し、ストロボ装置２０側では破線枠Ａ内のステップＳ１７４へ移行して、それぞれ上述した処理動作が行われる。
【００８１】
カメラ１０側で、ステップＳ１４９のストロボ状態に応じた処理がなされた後、ステップＳ１５０にて、ユーザによってレリーズ釦（図示せず）が操作される。続くステップＳ１５１にて、レリーズ釦の操作によって１ｓｔレリーズスイッチ１４ａがオンされると、ステップＳ１５２にて測距が行われる。更に、ステップＳ１５３では被写体にピントが合わせられる。
【００８２】
ステップＳ１５４にてユーザによってレリーズ釦（図示せず）が操作され、ステップＳ１５５にて２ｎｄレリーズスイッチ１４ｂがオンされると、続くステップＳ１５６にて、カメラ１０で「ストロボ操作受付禁止」の送信データが生成される。そして、ステップＳ１５７にて、生成された送信データがストロボ装置２０に対して送信される。その後、ステップＳ１５８にて、データ受信待ちの状態になる。
【００８３】
ステップＳ１８１にて、ストロボ装置２０でカメラ１０からのデータが受信されると、続くステップＳ１８２にて受信された旨を示すデータを生成するべく受信データの解析が行われる。次いで、ステップＳ１８３にて解析されたデータを基に送信データが生成される。そして、ステップＳ１８４にて、ストロボ装置２０の状態がカメラ１０に対して送信される。ストロボ装置２０は、上記ステップＳ１５６で生成された「ストロボ操作受付禁止」のデータを受信しているので、例えば、ユーザがストロボ装置２０を操作してストロボモードを変更しようとすると、ストロボ装置２０はこれは受け付けない。その後、ステップＳ１８５にて、ストロボ装置２０はデータ受信待ちの状態になる。
【００８４】
一方、カメラ１０では、ステップＳ１５９にてストロボ装置２０からのデータが受信された後、ステップＳ１６０にて受信されたデータの解析が行われる。次いで、ステップＳ１６１にて測光が行われた後、ステップＳ１６２にて、撮影時のシャッタスピードや絞り値、ストロボ発光量が決定される。そして、ステップＳ１６３にて、これらが使用されて撮影が行われる。
【００８５】
続いて、ステップＳ１６４では、カメラ１０に於いて「ストロボ操作受付許可」の送信データが生成される。そして、ステップＳ１６５にて、この生成されたデータがストロボ装置２０に向けて送信される。その後、ステップＳ１６６にて、カメラ１０はデータ受信待ちの状態になる。
【００８６】
ステップＳ１８６にて、ストロボ装置２０側で上記送信データが受信されると、続くステップＳ１８７にて受信されたデータが解析される。そして、ステップＳ１８８にて、上記解析されたデータから受信した旨を示すデータが生成される。ステップＳ１８９では、この生成されたデータがカメラ１０に向けて送信される。
【００８７】
ストロボ装置２０では、上記ステップＳ１６４で生成された「ストロボ操作受付許可」が受信されているので、例えば、ユーザがストロボ装置２０を操作してストロボモードを変更しようとすると、これを受け付けてストロボモードを変更することができるようになっている。
【００８８】
この後、ステップＳ１９０にてデータ受信待ちの状態に入ると、破線枠Ｃ内のステップＳ１９１に移行して、上述した処理動作が行われる。
【００８９】
一方、カメラ１０側では、ステップＳ１６７にて、ストロボ装置２０の状態が受信されると、続くステップＳ１６８にて受信データの解析が行われる。その後、破線枠Ｂ内のステップＳ１６９に移行して、上述した処理動作が行われる。
【００９０】
このように、本実施の形態の撮像装置によれば、装置をしっかりと把持したまま、撮影準備動作が開始された後であっても外部アクセサリ装置の撮影条件に係る設定変更を誤操作なく行うことができる。
【００９１】
上述した第１の実施形態では、「ＡＥロックモード」が、「１ｓｔレリーズでロック」と「２ｎｄレリーズでロック」との２種類があり、各々のモードによってストロボ装置の操作受付禁止にするタイミングが異なる、というものであった。しかしながら、本発明はこれに限られるものではなく、以下のような例も可能である。
【００９２】
例えば、図８に示されるように、表示部１５の画面１５ａに表示されるカメラの撮影モードが、「Ａｕｔｏ」、「人物」、「風景」、「夜景」、「マクロ」、「Ｐ（プログラムオート）」、「Ａｖ（絞り優先）」、「Ｔｖ（シャッタスピード優先）」、「Ｍ（マニュアル）」の９種類あるとする。このうち、前半の５種類「Ａｕｔｏ」、「人物」、「風景」、「夜景」、「マクロ」は初心者が良く使うモードであり、後半の４種類「Ｐ（プログラムオート）」、「Ａｖ（絞り優先）」、「Ｔｖ（シャッタスピード優先）」、「Ｍ（マニュアル）」は中上級者が良く使うモードである、と想定される。
【００９３】
したがって、図８（ａ）に示されるように、前半の５種類のモードの何れか（この場合「風景」）が選択されている場合は、１ｓｔレリーズスイッチ１４ａがオンされるとストロボの操作受付禁止にする。また、後半の４種類のモードの何れか（この場合「Ｔｖ」）が選択されている場合は、２ｎｄレリーズスイッチ１４ｂがオンされるとストロボの操作受付禁止にする、ということが可能である。
【００９４】
また、上述した第１の実施形態では、「ストロボ操作受付禁止」を示す通信データや、「ストロボ操作受付許可」を示す通信データが、各々専用に設けられているが、本発明はこれに限られるものではない。
【００９５】
例えば、図９に示されるように、カメラとストロボ装置との間の通信内容に「ストロボ操作受付許可／禁止」を含ませる。そして、ストロボ装置の操作受付許可すべき期間の通信では、「ストロボ操作受付許可／禁止」を「許可」として通信する、ストロボの操作受付禁止すべき期間の通信では、「禁止」として通信する、ということも可能である。
【００９６】
また、上述した第１の実施形態では、カメラの状態をストロボ装置へ伝えるため、及びストロボ装置の状態をカメラへ伝えるために、カメラとストロボ装置との間の通信を定期的に行っているが、本発明はこれに限られるものではない。例えば、ユーザがカメラを操作した時、カメラの状態が変わった時、ユーザがストロボを操作した時、ストロボの状態が変わった時、等に不定期で通信を行っても良い。
【００９７】
或いは、「ストロボ操作受付禁止」通信を行った後は、ユーザ操作によるストロボの状態が変わることはないので、この定期的な通信を止めて、必要に応じて充電状態等のストロボ状態を得るための通信を行うようにしても良い。
【００９８】
更には、「ストロボ操作受付禁止」通信を行った後でも、定期的な通信を継続して、ストロボ状態を得るようにしても良い。
【００９９】
（第２の実施形態）
上述した第１の実施形態では、ユーザがレリーズ釦を操作して、１ｓｔレリーズスイッチまたは２ｎｄレリーズスイッチがオンされるとストロボの操作受付禁止にする、というものであるが、本発明はこれに限られるものではない。
【０１００】
図１０は、本発明の第２の実施形態を示すもので、撮像装置としてのカメラ及び外部アクセサリ装置としてのストロボ装置の基本的構成を示すブロック図である。
【０１０１】
図１０に示されるように、１ｓｔレリーズスイッチ１４ａ及びレリーズスイッチ１４ｂを構成するレリーズ釦とは別に、ＡＥロックスイッチ１４ｃを構成するＡＥロック釦をカメラ１０ａに設けても良い。このＡＥロック釦は露出値を固定するための固定露出部材であり、１ｓｔレリーズスイッチ１４ａの操作でＡＥロック、２ｎｄレリーズスイッチ１４ｂの操作でＡＥロック、若しくは上記ＡＥロック釦の操作でＡＥロックとする複数のＡＥロックモードから何れか１つが、露出値固定モード選択手段を含む制御部１１によって選択される。
【０１０２】
尚、このＡＥロック釦以外のカメラの構成は、図１に示される第１の実施形態のカメラ１０の構成と基本的に同じであるので、同一の部分には同一の参照番号を付してここでの図示及び動作の説明は省略する。
【０１０３】
このように、ユーザがＡＥロック釦を押すとストロボ操作受付禁止にして、ＡＥロック釦を押している間はストロボ操作受付禁止を維持し、ＡＥロック釦を離すとストロボ操作受付許可になるように構成しても良い。或いは、ユーザがＡＥロック釦を押すとストロボ操作受付禁止にして、ＡＥロック釦を離してもストロボ操作受付禁止を維持する。そして、ユーザが再度ＡＥロック釦を押すとストロボ操作受付許可にする、としても良い。
【０１０４】
本実施形態の撮像装置によれば、撮影準備動作開始後に於いても撮影条件に係る外付けアクセサリ装置側の設定変更を行い得るＡＥロックモードを選択することができる。
【０１０５】
（第３の実施形態）
上述した手及び第２の実施形態に於いては、撮像装置に外付けするアクセサリ装置としてストロボをあげて説明したが、本発明はこれに限られるものではない。
【０１０６】
例えば、図１１に示されるように、カメラ１０に取り付けられるのは撮影レンズであっても良い。
【０１０７】
尚、この撮影レンズ以外のカメラの構成は、図１に示される第１の実施形態のカメラ１０の構成と基本的に同じであるので、同一の部分には同一の参照番号を付してここでの図示及び動作の説明は省略する。
【０１０８】
図１１に於いて、交換レンズ装置である撮影レンズ３０は、該撮影レンズ全体の制御を司る制御部３１と、図示されない絞りを駆動するための絞り駆動部３２と、ユーザが撮影レンズ３０に指示を与えるための操作部３３と、図示されないレンズを駆動するレンズ駆動部３４と、カメラ１０との通信を行う通信部３５とを有して構成される。
【０１０９】
そして、上記操作部３５は、ユーザ操作により焦点距離を変更するズーム釦に対応したズームアップスイッチ３３ａ及びズームダウンスイッチ３３ｂと、絞り値を変更する絞りリングに対応した絞りスイッチ３３ｃを有している。
【０１１０】
このような構成に於いて、ユーザによって撮影レンズ３０のズームアップ釦が押されると、「ズームアップ釦が押されている」情報がカメラ１０へ送信される。すると、カメラ１０では、これに基づいてレンズの焦点距離を長くするべく指示が出され、通信部１７、通信部３５を介して撮影レンズ３０側へ情報が送信される。これにより、レンズ駆動部３４が駆動制御されて上記レンズの焦点距離が長くする方向へ移動される。ズームダウン釦が押されると、同様にして、レンズの焦点距離を短くする方向へ駆動制御される。
【０１１１】
また、ユーザにより絞りリングが操作されて、例えばＦ５．６が設定されると、「絞り値Ｆ５．６が設定された」情報が、撮影レンズ３０からカメラ１０へ送信される。カメラ１０では、この情報は記憶部１３に記憶されるのみで、この時点では駆動等は行われない。その後、ユーザによりレリーズ釦が操作されて撮影動作へ移行すると、先に記憶部１３に記憶された絞り値Ｆ５．６に基づいて撮影動作が行われる。
【０１１２】
尚、この第３の実施形態は、上記レンズ操作を許可または禁止するものである。つまり、レンズ操作受付許可期間であれば、ユーザ操作により焦点距離変更や絞り値変更が行われる。一方、レンズ操作受付禁止期間であれば、ユーザ操作による焦点距離変更や絞り値変更は受け付けないようになっている。
【図面の簡単な説明】
【０１１３】
【図１】本発明の第１の実施形態を示すもので、撮像装置としてのカメラ及び外部アクセサリ装置としてのストロボ装置の基本的構成を示すブロック図である。
【図２】カメラ１０とストロボ装置２０間の通信の様子を示したタイミングチャートである。
【図３】カメラ１０とストロボ装置２０との間の通信内容の例を示した図である。
【図４】本実施の形態に於けるカメラ１０及びストロボ装置２０の通常の動作について説明するもので、（ａ）はカメラ１０側の制御部１１により行われる動作を説明するフローチャート、（ｂ）はストロボ装置２０側の制御部２１にて行われる動作を説明するフローチャートである。
【図５】ＡＥロックモード変更時の動作を説明するもので、（ａ）はカメラ１０側の制御部１１により行われる動作を説明するフローチャート、（ｂ）はストロボ装置２０側の制御部２１にて行われる動作を説明するフローチャートである。
【図６】ＡＥロックモードが「第１（１ｓｔ）レリーズでロック」の場合の撮影時の動作を説明するもので、（ａ）はカメラ１０側の制御部１１により行われる動作を説明するフローチャート、（ｂ）はストロボ装置２０側の制御部２１にて行われる動作を説明するフローチャートである。
【図７】ＡＥロックモードが「第２（２ｎｄ）レリーズでロック」の場合の撮影時の動作を説明するもので、（ａ）はカメラ１０側の制御部１１により行われる動作を説明するフローチャート、（ｂ）はストロボ装置２０側の制御部２１にて行われる動作を説明するフローチャートである。
【図８】本発明の第１の実施形態の変形例で表示部１５の画面１５フローチャートに表示されるカメラの撮影モードの例を示した図である。
【図９】カメラ１０とストロボ装置２０との通信内容の変形例を示した図である。
【図１０】本発明の第２の実施形態を示すもので、撮像装置としてのカメラ及び外部アクセサリ装置としてのストロボ装置の基本的構成を示すブロック図である。
【図１１】本発明の第３の実施形態を示すもので、撮像装置としてのカメラ及び外部アクセサリ装置としての撮影レンズの基本的構成を示すブロック図である。
【図１２】従来の外付けストロボ装置を併用した撮影の様子の一例を示した図である。
【図１３】従来の外付けストロボ装置を併用した撮影の様子の他の例を示した図である。
【符号の説明】
【０１１４】
１０…カメラ、１１、２１…制御部、１２…撮影部、１３…記憶部、１４、２２…操作部、１４ａ…ファースト（１ｓｔ）レリーズスイッチ、１４ｂ…セカンド（２ｎｄ）レリーズスイッチ、１５…表示部、１６…発光指示部、１７、２５…通信部、２０…ストロボ装置、２３…充電部、２４…発光部。
【図１】
2005141078.tif 000003
【図２】
2005141078.tif 000004
【図３】
2005141078.tif 000005
【図４】
2005141078.tif 000006
【図５】
2005141078.tif 000007
【図６】
2005141078.tif 000008
【図７】
2005141078.tif 000009
【図８】
2005141078.tif 000010
【図９】
2005141078.tif 000011
【図１０】
2005141078.tif 000012
【図１１】
2005141078.tif 000013
【図１２】
2005141078.tif 000014
【図１３】
2005141078.tif 000015